【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
少なくとも第１のビューおよび第２のビューを含む３Ｄコンテンツを再目標化するための方法であって、
−  前記第１のビューから第１の顕著性マップを、および前記第２のビューから第２の顕著性マップを決定するステップと、
−  前記第１の顕著性マップから第１のクロッピングウィンドウを、および前記第２の顕著性マップから第２のクロッピングウィンドウを決定するステップと、
−  前記第１のクロッピングウィンドウおよび前記第２のクロッピングウィンドウを、前記第１のクロッピングウィンドウ及び前記第２のクロッピングウィンドウから決定されたパラメータを用いて識別された最終的なクロッピングウィンドウに組み合わせるステップと、
−  前記最終的なクロッピングウィンドウによって前記第１のビューおよび前記第２のビューをクロッピングするステップであって、前記クロッピングされた第１のビューおよび第２のビューが前記再目標化される３Ｄコンテンツを形成する、ステップと、
を備える、前記方法。
【請求項２】
前記方法は、
−  前記最終的なクロッピングウィンドウの前記パラメータを経時的にフィルタリングするステップと、
−  最終的なクロッピングウィンドウ境界が回避すべき領域を指示する禁止区域マップを決定するステップと、
−  前記禁止区域マップを使用して、前記最終的なクロッピングウィンドウのアスペクト比を目標アスペクト比に変換するステップと、
をさらに含む、請求項１に記載の方法。
【請求項３】
前記方法は、
−  前記最終的なクロッピングウィンドウの前記パラメータを経時的にフィルタリングするステップと、
−  最終的なクロッピングウィンドウ境界が回避すべき領域を指示する禁止区域マップを決定するステップと、
−  前記禁止区域マップおよびデプスマップを使用して、前記最終的なクロッピングウィンドウのアスペクト比を目標アスペクト比に変換するステップと、
をさらに含む、請求項１に記載の方法。
【請求項４】
前記禁止区域マップを決定する前記ステップは、
−  前記少なくとも２つのビューのうちの１つを領域のセグメンテーションマップにセグメント化するステップと、
−  前記セグメンテーションマップの各々の領域に対して、前記少なくとも２つのビューのうちの前記１つの顕著性マップから顕著性値を計算するステップと、
−  各々の領域に対して計算された前記顕著性値を閾値処理して、禁止区域マップを形成するステップと、
を含む、請求項２または３に記載の方法。
【請求項５】
少なくとも第１のビューおよび第２のビューを含む３Ｄコンテンツを再目標化するためのデバイスであって、
−  前記第１のビューから第１の顕著性マップを、および前記第２のビューから第２の顕著性マップを決定するための手段と、
−  前記第１の顕著性マップから第１のクロッピングウィンドウを、および前記第２の顕著性マップから第２のクロッピングウィンドウを決定する手段と、
−  前記第１のクロッピングウィンドウおよび前記第２のクロッピングウィンドウを、前記第１のクロッピングウィンドウ及び前記第２のクロッピングウィンドウから決定されたパラメータを用いて識別された最終的なクロッピングウィンドウに組み合わせる手段と、
−  前記最終的なクロッピングウィンドウによって前記第１のビューおよび前記第２のビューをクロッピングする手段であって、前記クロッピングされた第１のビューおよび第２のビューが前記再目標化される３Ｄコンテンツを形成する、手段と、
を備える、前記デバイス。
【請求項６】
前記デバイスは、
−  前記最終的なクロッピングウィンドウの前記パラメータを経時的にフィルタリングする手段と、
−  最終的なクロッピングウィンドウ境界が回避すべき領域を指示する禁止区域マップを決定する手段と、
−  前記禁止区域マップを使用して、前記最終的なクロッピングウィンドウのアスペクト比を目標アスペクト比に変換する手段と、
をさらに備える、請求項５に記載のデバイス。
【請求項７】
前記デバイスは、
−  前記最終的なクロッピングウィンドウの前記パラメータを経時的にフィルタリングする手段と、
−  最終的なクロッピングウィンドウ境界が回避すべき領域を指示する禁止区域マップを決定する手段と、
−  前記禁止区域マップおよびデプスマップを使用して、前記最終的なクロッピングウィンドウのアスペクト比を目標アスペクト比に変換する手段と、
をさらに含む、請求項５に記載のデバイス。
【請求項８】
前記禁止区域マップを決定する前記手段は、
−  前記少なくとも２つのビューのうちの１つを領域のセグメンテーションマップにセグメント化する手段と、
−  前記セグメンテーションマップの各々の領域に対して、前記少なくとも２つのビューのうちの前記１つの顕著性マップから顕著性値を計算する手段と、
−  各々の領域に対して計算された前記顕著性値を閾値処理して、禁止区域マップを形成する手段と、
を備える、請求項６または７に記載のデバイス。
【請求項９】
請求項１から４のいずれかに記載の方法のステップをコンピュータに実行させるためのコンピュータプログラム。
【請求項１０】
少なくとも請求項１から４のいずれかに記載の方法のステップをプロセッサーに実行させるための命令が格納されたプロセッサー可読媒体。
【手続補正２】
【補正対象書類名】明細書
【補正対象項目名】００２６
【補正方法】削除
【補正の内容】
【手続補正３】
【補正対象書類名】明細書
【補正対象項目名】００２７
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００４７
【補正方法】変更
【補正の内容】
【００４７】
ＳＭleft（ｘ，ｙ）は左のビューでの画素（ｘ，ｙ）の顕著性値であり、ＳＭright（ｘ，ｙ）は右のビューでの画素（ｘ，ｙ）の顕著性値である。（ｘ１，ｙ１）は平滑なクロッピングウィンドウの左上の画素の座標であり、（ｘ２，ｙ２）は平滑なクロッピングウィンドウの右下の画素の座標である。（ｘ１left，ｙ１left）は左のクロッピングウィンドウの左上の画素の座標であり、（ｘ２left，ｙ２left）は左のクロッピングウィンドウの右下の画素の座標である。（ｘ１right，ｙ１right）は右のクロッピングウィンドウの左上の画素の座標であり、（ｘ２right，ｙ２right）は左のクロッピングウィンドウの右下の画素の座標である。
【手続補正８】
【補正対象書類名】明細書
【補正対象項目名】０１２２
【補正方法】変更
【補正の内容】
【０１２２】
変形例によると、本発明に適合する再目標化デバイスは、純粋にハードウェアの実現によって、例えば専用構成要素（例えばＡＳＩＣ（特定用途向け集積回路）、ＦＰＧＡ（フィールドプログラマブルゲートアレイ）、ＶＬＳＩ（超大規模集積回路））、もしくはデバイスに集積されたいくつかの電子構成要素の形式で、またはハードウェア要素およびソフトウェア要素の混合体の形式でも実装される。
＜付記１＞
少なくとも第１のビューおよび第２のビューを含む３Ｄコンテンツを再目標化するための方法であって、
−  前記第１のビューから第１の関心領域を、および前記第２のビューから第２の関心領域を決定するステップ（１０、１２）と、
−  前記第１の関心領域から第１のクロッピングウィンドウを、および前記第２の関心領域から第２のクロッピングウィンドウを決定するステップ（１４、３２２、１６、３２２）と、
−  前記第１のクロッピングウィンドウおよび前記第２のクロッピングウィンドウを最終的なクロッピングウィンドウに組み合わせるステップ（１８、３２４）と、
−  前記最終的なクロッピングウィンドウによって前記第１のビューおよび前記第２のビューをクロッピングするステップであって、前記クロッピングされた第１のビューおよび第２のビューが前記再目標化される３Ｄコンテンツを形成する、ステップ（２０）と、
を備える、前記方法。
＜付記２＞
前記最終的なクロッピングウィンドウはパラメータにより識別され、前記方法は、
−  前記最終的なクロッピングウィンドウの前記パラメータを経時的にフィルタリングするステップ（３２６）と、
−  最終的なクロッピングウィンドウ境界が回避すべき領域を指示する禁止区域マップを決定するステップ（３０）と、
−  前記禁止区域マップを使用して、前記最終的なクロッピングウィンドウのアスペクト比を目標アスペクト比に変換するステップ（３２８）と、
をさらに含む、付記１に記載の方法。
＜付記３＞
前記最終的なクロッピングウィンドウはパラメータにより識別され、前記方法は、
−  前記最終的なクロッピングウィンドウの前記パラメータを経時的にフィルタリングするステップ（３２６）と、
−  最終的なクロッピングウィンドウ境界が回避すべき領域を指示する禁止区域マップを決定するステップ（３０）と、
−  前記禁止区域マップおよびデプスマップを使用して、前記最終的なクロッピングウィンドウのアスペクト比を目標アスペクト比に変換するステップ（３２８）と、
をさらに含む、付記１に記載の方法。
＜付記４＞
前記禁止区域マップを決定する前記ステップ（３０）は、
−  前記少なくとも２つのビューのうちの１つを領域のセグメンテーションマップにセグメント化するステップ（３００）と、
−  前記セグメンテーションマップの各々の領域に対して、前記少なくとも２つのビューのうちの前記１つの顕著性マップから顕著性値を計算するステップ（３０２）と、
−  各々の領域に対して計算された前記顕著性値を閾値処理して、禁止区域マップを形成するステップ（３０４）と、
を含む、付記２または３に記載の方法。
＜付記５＞
前記第１の関心領域および前記第２の関心領域を決定するステップ（１０、１２）は、第１の顕著性マップおよび第２の顕著性マップを決定するステップを含む、付記１から４のいずれかに記載の方法。
＜付記６＞
少なくとも第１のビューおよび第２のビューを含む３Ｄコンテンツを再目標化するためのデバイスであって、
−  前記第１のビューから第１の関心領域を、および前記第２のビューから第２の関心領域を決定するための手段と、
−  前記第１の関心領域から第１のクロッピングウィンドウを、および前記第２の関心領域から第２のクロッピングウィンドウを決定する手段と、
−  前記第１のクロッピングウィンドウおよび前記第２のクロッピングウィンドウを最終的なクロッピングウィンドウに組み合わせる手段と、
−  前記最終的なクロッピングウィンドウによって前記第１のビューおよび前記第２のビューをクロッピングする手段であって、前記クロッピングされた第１のビューおよび第２のビューが前記再目標化される３Ｄコンテンツを形成する、手段と、
を備える、前記デバイス。
＜付記７＞
前記最終的なクロッピングウィンドウはパラメータにより識別され、前記デバイスは、
−  前記最終的なクロッピングウィンドウの前記パラメータを経時的にフィルタリングする手段と、
−  最終的なクロッピングウィンドウ境界が回避すべき領域を指示する禁止区域マップを決定する手段と、
−  前記禁止区域マップを使用して、前記最終的なクロッピングウィンドウのアスペクト比を目標アスペクト比に変換する手段と、
をさらに備える、付記６に記載のデバイス。
＜付記８＞
前記最終的なクロッピングウィンドウはパラメータにより識別され、方法は、
−  前記最終的なクロッピングウィンドウの前記パラメータを経時的にフィルタリングする手段と、
−  最終的なクロッピングウィンドウ境界が回避すべき領域を指示する禁止区域マップを決定する手段と、
−  前記禁止区域マップおよびデプスマップを使用して、前記最終的なクロッピングウィンドウのアスペクト比を目標アスペクト比に変換する手段と、
をさらに含む、付記６に記載のデバイス。
＜付記９＞
前記禁止区域マップを決定する前記手段は、
−  前記少なくとも２つのビューのうちの１つを領域のセグメンテーションマップにセグメント化する手段と、
−  前記セグメンテーションマップの各々の領域に対して、前記少なくとも２つのビューのうちの前記１つの顕著性マップから顕著性値を計算する手段と、
−  各々の領域に対して計算された前記顕著性値を閾値処理して、禁止区域マップを形成する手段と、
を備える、付記７または８に記載のデバイス。
＜付記１０＞
前記関心領域は、顕著性マップを用いて決定される、付記６から９のいずれかに記載のデバイス。
＜付記１１＞
プログラムコード命令を含むコンピュータプログラム製品であって、前記プログラムコード命令は、このプログラムがコンピュータ上で実行されるときに、付記１から５のいずれかに記載の方法のステップを実行するためのものである、前記コンピュータプログラム製品。
＜付記１２＞
少なくとも付記１から５のいずれかに記載の方法のステップをプロセッサーに実行させるための命令が格納されたプロセッサー可読媒体。